(57)【特許請求の範囲】
【請求項１】
上部に開口端を有した直方体状のアウタボディと、
前記アウタボディ内にスライド自在に収容され、上端部に開閉可能なヒンジリッドを有するインナケースと
を備え、
前記アウタボディは、その前壁に形成され、前記インナケースを部分的に露出させる開口を含み、
前記インナケースは、
前記開口を通じて部分的に露出しており、前記インナケースがスライドさせられるときに前記開口を通して押されるインナ前壁と、
前記インナ前壁の内面に配設され、前記インナ前壁を補強する補強部材とを有しており、
前記インナ前壁は、
その全域に前記インナケースの幅方向に延びる多数の突条が形成されてなる凹凸面を含み、
前記補強部材は、
折り込み線を介して前記インナ前壁に連結されているとともに前記インナ前壁の内面に接着されている
ことを特徴とするスライド機能付きヒンジリッド型パッケージ。
【請求項２】
前記アウタボディと前記インナケースとを係合させる係合手段を含み、
前記係合手段は、前記インナケースがそのスライドによりアウタボディから押し上げられたとき、前記ヒンジリッドに開動作を付与するとともに前記インナケースのスライド量を規制することを特徴とする請求項１に記載のスライド機能付きヒンジリッド型パッケージ。
【請求項３】
前記係合手段は、
前記ヒンジリッドの後部にその上端が前記ヒンジリッドの開閉を可能とする第１ヒンジより上方に位置した第２ヒンジを介して連結され、その下端部が前記アウタボディの内面側に折り返された折返し片を有する帯状体と、
前記アウタボディ内に設けられ、前記開口端から前記折返し片に向けて延び、前記折返し片と係合可能な延出片と
を含むことを特徴とする請求項２に記載のスライド機能付きヒンジリッド型パッケージ。
【発明の詳細な説明】
【技術分野】
【０００１】
本発明は、ヒンジリッド型パッケージに関し、より詳しくは、スライド機能付きヒンジリッド型パッケージに関する。
【背景技術】
【０００２】
被収容物を収容する包装容器としては、被収容物の性質を考慮し、種々のものが開発されている。被収容物が、例えば、フィルタシガレットやシガレット等のたばこ商品である場合、その包装容器としては、ヒンジリッド型パッケージが多用されている。
ここで、ヒンジリッド型パッケージとしては、例えば、特許文献１に示される紙巻き煙草などのためのヒンジ蓋付きボックスのようなヒンジリッド型パッケージが各種提案されている。
【０００３】
従来公知のヒンジリッド型パッケージは、ボックス形状のアウタボディを含み、アウタボディはその上端に開口端を有する。アウタボディはその内部にインナパックを収容し、このインナパックは紙巻き煙草の束と、この煙草の束を包み込む内包材とを有する。
アウタボディの開口端はその後縁にヒンジを介してボックス形状のリッドを有し、リッドはヒンジを中心に回動し、開口端を開閉可能である。
【０００４】
ところで、従来公知のヒンジリッド型包装容器は、長年使用されていることから、その開閉形態は消費者にとって馴染みがあるものの、消費者の購買意欲を促進させるアピール度に乏しい。
そこで、ヒンジリッド型パッケージにおいてスライド機構を取り入れ、消費者に対するアピール度の向上を図ったものとして、例えば、特許文献２に示される押し出し口付きたばこ商品パッケージのようなスライド機構付きヒンジリッド型パッケージが提案されている。
【特許文献１】特開平８−５８７７７号公報
【特許文献２】国際公開第２００７／０６５５１４号パンフレット
【発明の開示】
【発明が解決しようとする課題】
【０００５】
ところで、従来公知のスライド機構付きヒンジリッド型パッケージにおいて、消費者は、押し出し口から露出したインナパックパートの前面部を指で押しながらインナパックパートを上方へ移動させるので、指が滑ってスライドさせ難い場合がある。また、内部に収容しているたばこ商品の本数が減ってくるとインナパックパートが変形し、スライドさせ難いこともあり、たばこ商品を取り出すのに手間取る場合がある。
【０００６】
本発明は、上記の問題を解決するために提案されたものであり、その目的とするところは、簡単な構成で、消費者に対するアピール度を向上させることができる斬新な開閉形態を有しており、しかも、被収容物が取り出し易いパッケージを提供することを目的とする。
【課題を解決するための手段】
【０００７】
上記目的を達成するために、本発明のスライド機能付きヒンジリッド型パッケージは、上部に開口端を有した直方体状のアウタボディと、前記アウタボディ内にスライド自在に収容され、上端部に開閉可能なヒンジリッドを有するインナケースとを備え、前記アウタボディは、その前壁に形成され、前記インナケースを部分的に露出させる開口を含み、前記インナケースは、前記開口を通じて部分的に露出しており、前記インナケースがスライドさせられるときに前記開口を通して押されるインナ前壁と、前記インナ前壁の内面に配設され、前記インナ前壁を補強する補強部材とを有しており、前記インナ前壁は、その全域に前記インナケースの幅方向に延びる多数の突条が形成されてなる凹凸面を含み、前記補強部材は、折り込み線を介して前記インナ前壁に連結されているとともに前記インナ前壁の内面に接着されていることを特徴とするものである。
【０００８】
また、本発明のスライド機能付きヒンジリッド型パッケージは、前記アウタボディと前記インナケースとを係合させる係合手段を含み、前記係合手段は、前記インナケースがそのスライドによりアウタボディから押し上げられたとき、前記ヒンジリッドに開動作を付与するとともに前記インナケースのスライド量を規制することを特徴とする。
【０００９】
また、本発明のスライド機能付きヒンジリッド型パッケージは、前記係合手段は、前記ヒンジリッドの後部にその上端が前記ヒンジリッドの開閉を可能とする第１ヒンジより上方に位置した第２ヒンジを介して連結され、その下端部が前記アウタボディの内面側に折り返された折返し片を有する帯状体と、前記アウタボディ内に設けられ、前記開口端から前記折返し片に向けて延び、前記折返し片と係合可能な延出片とを含むことを特徴とする。
【発明の効果】
【００１１】
本発明によれば、アウタボディの開口から露出したインナケースの前壁を押しながら当該インナケースを上方へ移動させることにより、被収容物を保持したインナケースをアウタボディの上部開口端から上方へ突出させることができ、ユニークな開閉形態を有するので消費者へのアピール性の向上が図れる。また、インナケースの前壁の内面に補強部材が配設されていることから、インナケースの剛性が高まり、変形を少なく抑えることができる。これにより、被収容物が減ってもインナケースを良好にスライドさせることができる。
【００１２】
また、本発明によれば、インナケースがそのスライドによりアウタボディから押し上げられていく動作にともないヒンジリッドが開いていき、インナケースが所定長さ突出したところでインナケースのスライド量が規制される。これにより、被収容物の取り出しが容易となるとともに、インナケースがアウタボディから抜け落ちることを有効に防止することができる。
【００１３】
また、本発明によれば、係合手段を簡便に構成することができる。また、延出片が、アウタボディとインナケースとの間に挟まれており、インナケースと常に接触していることから、インナケースの往復動に対して抵抗となり、インナケースが不所望にアウタボディから突出することを抑制する。
また、本発明によれば、インナケースの外表面部分の凹凸により指が滑ることが抑えられ、インナケースをスライドさせ易くなる。
【発明を実施するための最良の形態】
【００１４】
以下、本発明に係るスライド機能付きヒンジリッド型パッケージの実施の形態を図面を参照して説明する。
図１，２は、一実施例のヒンジリッド型パッケージを示す。
このパッケージ２は、リッド４を有するインナケース６と、このインナケース６を収容するアウタボディ８とを備えている。インナケース６は２個のインナパック１０を並列に収容可能な大きさを有し、各インナパック１０は長さが９５ｍｍのスーパーキングサイズのたばこ商品１０本を内包材により包み込んだものである。より詳しくは、内包材は、紙と、この紙の表面に蒸着されたアルミニウムの膜とを含む。内包材のアルミニウムの膜はたばこ商品の束を湿気から保護するばかりでなく、たばこ商品の束、すなわち、個々のたばこ商品からの芳香の放出を防止する。内包材には上述したアルミニウム蒸着紙に代えて、積層紙を使用することもでき、この積層紙はその内部に湿気や芳香の通過を防止する遮蔽層を有する。
【００１５】
インナケース６は、図３，４に示すように、インナパック１０を収容するためのケース本体１２を備え、ケース本体１２の上部にリッド４が連結されている。更に、インナケース６は、リッド４の後側に帯状体３４を備えている。
ケース本体１２は、上端部が斜めに切り欠かれた箱体である。より詳しくは、ケース本体１２は矩形状の前壁１４と、前壁１４よりも高さ寸法が短い矩形状をなし、前壁１４と対向配置された後壁１６と、前壁１４と後壁１６との両側縁を相互に連結する一対の側壁１８と、前壁１４、後壁１６および側壁１８の下端に連結された矩形状の底壁とを備えている。ここで、側壁１８の上端縁１８ａは前壁１４の上端と後壁１６の上端とを結ぶように傾斜している。そのため、ケース本体１２は、上端部に斜めの開口を有している。
【００１６】
前壁１４は、その上部中央に平面視略矩形状の切欠凹所２０を有している。切欠凹所２０は、ケース本体１２の前面部分を大きく開き、たばこ商品の取り出しを容易にしている。また、前壁１４の内面には、前壁１４を補強する補強部材としての矩形形状の補強板が接着されており、この補強板は切欠凹所２０よりも下方に位置付けられている。
後壁１６の上端には第１ヒンジ２４が備えられている。第１ヒンジ２４は両側壁１８，１８の上端縁１８ａの後部間に亘って延び、後壁１６とリッド４とを連結している。
【００１７】
リッド４は、第１ヒンジ２４に連結されている矩形状の後壁２６と、後壁２６に直交するように連結されている矩形状の天板２８と、後壁２６と天板２８の両側縁を連結する台形状の側壁３０とを備えている。リッド４は、第１ヒンジ２４を中心に回動可能となっている。なお、リッド４が閉じたとき、リッド４の側壁３０の斜辺、すなわち側壁３０の傾斜下端縁３０ａは、前述したケース本体１２における側壁１８の上端縁１８ａと互いに合致する。
【００１８】
帯状体３４は、略矩形状の舌片である。より詳しくは、帯状体３４の上端縁は、リッド４の後壁２６と天板２８の境界中央を第２ヒンジ３２としてリッド４に連結されており、帯状帯３４はその下端部に折返し片３６を有している。この折返し片３６は、帯状体３４の下端をケース本体１２の厚み方向外側かつ上方に向け、癖を付けて折り曲げられている。つまり、インナケースがアウタボディ６内に収容されていると、帯状帯３４の折返し片３６はアウタボディ６の内面を押圧する方向に付勢されている。
【００１９】
なお、この帯状体３４は、リッド４の後壁２６の一部およびケース本体１２の後壁１６の一部を利用して得ることができ、このため、図４から明らかなようにＵ字形状の切込み溝２２がリッド４の後壁２６から第１ヒンジ２４を超え、ケース本体１２の後壁１６に亘って形成されている。
ここで、インナケース６の外表面にはその全域に亘って凹凸加工が施されている。つまり、インナケース６はその外表面の全面にわたり、凹凸面６ａを有している。具体的には、凹凸面６ａは、インナケース６の幅方向に延びる多数の突条から形成されており、これら突条はインナケース６の上下方向に均一な間隔を存して設けられている。
【００２０】
アウタボディ８は、図１乃至３に示すように、上部に開口端３８を有している直方体状の箱体である。より詳しくは、アウタボディ８は矩形状の前壁４０と、前壁４０と同寸法の矩形状をなし、前壁４０と対向配置された後壁４２と、前壁４０と後壁４２との両側縁を相互に連結する矩形状の一対の側壁４４と、前壁４０、後壁４２および側壁４４の下端に連結された矩形状の底壁とを備えている。
【００２１】
ここで、前壁４０の中央には、略矩形状の開口４６が設けられており、この開口４６から内部に収容されたインナケース６が露出している。
また、前記開口端３８にはその後側開口縁に延出片４８が設けられている。より詳しくは、この延出片４８は、図３に示すように、開口端３８の後側開口縁から後壁４２に沿い且つアウタボディ８の内部に向かって延び、アウタボディ８の厚み方向内側へ向かうような癖を付けた状態で、後側開口縁に沿って折り曲げられている。つまり、延出片４８はアウタボディ８内に配設されたインナケース６を押圧する方向に付勢されている。このため、アウタボディ８内のインナケース６が、開口端３８の方向へスライドさせられた際、延出片４８は、上述したインナケース６の帯状体３４の折返し片３６と係合する。また、図３から明らかなように、延出片４８の下端中央には、略矩形状の切欠５０が形成されている。この切欠５０の幅寸法は、上述した帯状体３４の折返し片３６の幅寸法よりも僅かに大きい。これにより、延出片４８は、インナケース６の折返し片３６と確実に係合可能となる。以上のように、帯状体３４と延出片４８とにより係合手段が形成される。
【００２２】
パッケージ２は、インナケース６を成形するインナケース用ブランク５２と、アウタボディ８を成形するアウタボディ用ブランク５４とから形作ることができる。
インナケース用ブランク５２は、図５に示されるように、ケース本体１２の前壁１４となる前壁パネル５６を有しており、前壁パネル５６の下部には、前述した補強板となる補強板パネル５８が連なっている。また、前壁パネル５６の両側縁には、ケース本体１２の側壁１８となる側壁パネル６０，６０が連なっている。更に、前壁パネル５６には、補強板パネル５８とは反対側に位置してケース本体１２の底壁となる底壁パネル６２が連なっている。底壁パネル６２には、前壁パネル５６とは反対側に位置してケース本体１２の後壁１６の一部となる後壁パネル６４が連なっている。
【００２３】
後壁パネル６４の両側縁には、側壁パネル６０と対するインナサイドフラップ６６，６６が連なっている。また、この後壁パネル６４には、底壁パネル６２とは反対側に位置してリッド４の後壁２６の一部となる後壁パネル６８が第１ヒンジ２４となる第１ヒンジライン７０を介して連なっている。この後壁パネル６８には、後壁パネル６４とは反対側に位置してリッド４の天板２８の一部となる天板パネル７２が連なっている。後壁パネル６８の両側縁には、リッド４の側壁３０となる側壁パネル７４，７４がそれぞれ連なっている。これら側壁パネル７４には、インナサイドフラップ６６とは反対側に位置して天板パネル７２と重ね合わされるインナトップフラップ７６，７６がそれぞれ連なっている。
【００２４】
ここで、ブランク５２においては、ケース本体１２の後壁パネル６４からリッド４の後壁パネル６８にかけて、Ｕ字状の切り込み７８（切込み溝２２）が入れられている。この切り込み７８で囲まれる領域は、前述の帯状体３４となる帯状体領域６３を形成している。より詳しくは、帯状体領域６３は、リッド４の後壁２６に対応する箇所に位置するリッド後壁パネル６８ｂを有している。リッド後壁パネル６８ｂは、その上端が第２ヒンジ３２となるヒンジ線８０を介して天板パネル７２に連なっている。このリッド後壁パネル６８ｂには、天板パネル７２とは反対側にてケース本体１２の後壁１６に対応する箇所に位置するケース後壁パネル６４ｂおよび帯状体３４の折返し片３６となる折返し片パネル６４ｃが順次連なっている。
【００２５】
天板パネル７２には、後壁パネル６８とは反対側に位置してリッド４の天板２８の残部となるインナトップフラップ８２およびリッド４の後壁２６の残部となるインナバックフラップ８４が順次連なっている。
また、インナバックフラップ８４には、インナトップフラップ８２とは反対側に位置してケース本体１２の後壁の残部となる後壁パネル８６が第１ヒンジ２４に対応するヒンジ線８８を介して接続されている。
【００２６】
次に、アウタボディ用ブランク５４は、図６に示されるように、アウタボディ８の前壁４０となる前壁パネル９０を有しており、前壁パネル９０の両側縁にアウタボディ８の側壁４４となる側壁パネル９２，９２が連なっている。
前壁パネル９０の上部には、アウタボディ８の底壁となる底壁パネル９４が連なっている。底壁パネル９４には、前壁パネル９０とは反対側に位置してアウタボディ８の後壁４２となる後壁パネル９６が連なっている。この後壁パネル９６の両側縁には、側壁パネル９２に対するインナサイドフラップ９８，９８が連なっている。また、後壁パネル９６には、底壁パネル９４とは反対側に位置してアウタボディ８の延出片４８となる延出片パネル１００が連なっている。
【００２７】
本実施例の場合、ブランク５２，５４は紙材からなり、それらの秤量は１８０〜２７０ｇ／ｍ２、それらの厚みは０．２〜０．５ｍｍである。なお、具体的には、ブランク５２，５４はカード紙、マニラボール紙等の何れであってもよい。また、インナケース用ブランク５２については、その外表面に、インナケース６の幅方向、即ち、そのスライド方向と直交する方向に延びる多数の突条がスライド方向に均一な間隔を存して設けられるべく凹凸加工が施されている。
【００２８】
上述したブランク５２，５４は、図５、６中一点鎖線で示した折り込み線からそれぞれ折り込まれて、インナケース６、アウタボディ８がそれぞれ成形され、この折り込み成形により、図１に示すようなリッド４を閉じた状態のパッケージ２が得られる。
より詳しくは、パッケージ２の折り込み成形を行う際、まず、ブランク５２の折り込み成形が行われる。すなわち、補強板パネル５８が折り曲げられて前壁パネル５６に糊付けされ、そして、帯状体領域６３において折返し片パネル６４ｃが折り曲げられるとともに、リッド後壁パネル６８ｂがヒンジ線８０の部分からケース本体１２の外側方向となるブランク５２の外表面側へ癖付けて折り曲げられる。ついで、側壁パネル７４，７４、インナトップフラップ７６，７６および天板パネル７２はそれぞれ折り込みがなされ、インナトップフラップ７６が天板パネル７２の内面に糊付けされる。更に、インナトップフラップ８２、インナバックフラップ８４および後壁パネル８６がそれぞれ対応する天板パネル７２、後壁パネル６８および後壁パネル６４の内面に向けて折り込まれて糊付けされる。その後、後壁パネル６４および後壁パネル６８上に後壁パネル８６を介して２個のインナパック１０が載置され、この状態で、２個のインナパック１０に対して、インナサイドフラップ６６、底壁パネル６２、前壁パネル５６および側壁パネル６０の折り込みがなされ、これらは相互に糊付けされる。このようにしてインナパック１０を備えたインナケース６の中間体が得られる。
【００２９】
この後、アウタボディ用ブランク５４において、まず、延出片パネル１００がアウタボディ８の内側方向となるブランク５４の内面側へ折り曲げられる。そして、上述の中間体を後壁パネル９６上に載置し、延出片パネル１００と中間体の後壁パネル６８とを重ね合わせる。この状態で、公知の如く、中間体の回りにブランク５４を折り込むとともに、糊付けしていくことで、リッド４を備えたインナケース６がアウタボディ８に囲繞された図１に示すパッケージ２が成形される。
【００３０】
このようにしてスライド機能付きヒンジリッド型パッケージにたばこ商品が包装されると、この後、個々のパッケージは、例えば、透明フィルムで外包される。
このパッケージ２を購入した消費者は、まず、外包フィルムを開封し、そしてアウタボディ８の前面に設けられた開口４６から露出したインナケース６の前壁１４を指で押しながら上方へこすり上げるようにしてインナケース６を押し上げる。これにより、リッド４が開きながらインナケース６に収容されているインナパック１０がアウタボディ８から突出してくる。
【００３１】
ここで、パッケージ２の動作について、図７を基により詳しく説明する。まず、図７（ａ）に示すように、当初インナケース６は、アウタボディ８内に収容されており、リッド４は閉じた状態にある。ついで、インナケース６がアウタボディ８内を上方へ移動すると、アウタボディ８における内壁の延出片４８にインナケース６における折返し片３６が係止される（図７（ｂ））。更に、インナケース６がアウタボディ８内を上方へ移動すると、延出片４８と折返し片３６が係合していることから、リッド４の後端部が帯状体３４により相対的に下方に引き付けられるようにしてリッド４は開いていき、これに伴いインナパック１０が露出してくる（図７（ｃ））。更に、インナケース６がアウタボディ８内を上方へ移動すると、リッド４は全開状態となり、それ以上はインナケース６が進まなくなる（図７（ｄ））。つまり、延出片４８と折返し片３６との係合により、リッド４が開くとともにインナケース６のスライド量は規制される。
【００３２】
本実施例においては、アウタボディ８の上端からたばこ商品が取り出しやすい位置でインナケース６のスライドが止められ、かつ、その位置でリッド４が全開するように、延出片４８と折返し片３６との位置関係および帯状体３４の長さが設定されている。
このようにしてアウタボディ８の上端からインナパック１０が露出すると、消費者はインナパック１０を開封して中からたばこ商品を取り出す。逆に、インナパック１０を収納する場合は、アウタボディ８の開口４６から露出するインナケース６の前壁１４を指で引き下げていくことによりインナケース６はアウタボディ８内へ引き込まれていく。これにより、延出片４８と折返し片３６との係合は解除されるとともに、リッド４は、アウタボディ８の開口端３８にガイドされて閉じていく。最終的にインナケース６がアウタボディ８の底面板に当接したところで、リッド４は完全に閉じた状態となり、パッケージ２を閉じることができる。
【００３３】
再度たばこ商品を取り出す際は、上記と同じようにインナケース６を開口４６を通してこすり上げればよい。
このように本実施例に係るスライド機能付きヒンジリッド型パッケージ２は、インナケース６をアウタボディ８から突出させていく動作に連動させてリッド４を開くことができるので、消費者に対するアピール度の向上が図れる。また、インナケース６の外表面には凹凸加工が施されているので、消費者が指でインナケース６をこすり上げる際に指の滑りを抑える効果が発揮され、容易にインナケース６をスライドさせることができる。更に、ケース本体１２の前壁１４の裏側に補強板が配設されているので、ケース本体１２の剛性が高まり、変形が有効に抑えられる。そのため、たばこ商品の本数が減った場合でも、インナケース６を良好にスライドさせることができる。
【００３４】
また、本実施例に係るパッケージ２は、リッド４を閉じることにより、たばこ商品の鮮度の低下を抑えることができ、しかも消費者がパッケージを購入後、そのパッケージ２内にインナパック１０をリフィルとして詰め込むためのたばこ用ケースとして使用する場合の利便性にも優れている。
本発明は上述した一実施例に制約されるものではなく、種々の変形が可能である。例えば、本実施例では、インナケース６の表面の全体に凹凸加工を施したが、この凹凸加工は、少なくもアウタボディ８の開口４６に対応する部分に施されていればよい。また、本実施例においては、突条からなる凹凸を設けたが、凹凸の形状はこれに限定されるものではなく、例えば、ドット状の凹凸としても構わない。
【００３５】
また、本実施例においては、ケース本体１２の前壁１４の裏面に前壁１４に対応するような矩形状の板を補強部材として貼り付ける態様としたが、この他、例えば、図８において二点鎖線で示すような、板材を断面形状がＵ字状となるように組み合わせた補強部材１０２をケース本体１２の内側に配設する態様や、図９において二点鎖線で示すような、板材を断面形状がＴ字状となるように組み合わせた補強部材１０４をケース本体１２内に配設する態様を採用しても構わない。つまり、ケース本体１２の剛性を高められるものであれば、補強部材の形状としてはどのような態様でも構わない。なお、図８，９において作図の都合上インナケース６の凹凸面６ａは省略している。
【００３６】
更に、本実施例においては、スーパーキングサイズのたばこ商品の１０本パックを２個収容するタイプについて説明したが、長さが８５ｍｍ程度のキングサイズのたばこ商品２０本を収容するインナパック１個を収容するタイプに適用しても構わない。また、収容できる商品としては、たばこ商品に限定されるものではなく、お菓子などの食品等他の商品であってもよく、本発明のスライド機能付きヒンジリッド型パッケージは、これら商品のパッケージとしても適用することができる。
【図面の簡単な説明】
【００３７】
【図１】実施例に係るスライド機能付きヒンジリッド型パッケージのリッドを閉じた状態を示す斜視図である。
【図２】実施例に係るスライド機能付きヒンジリッド型パッケージのケースをスライドさせ、リッドを開いた状態を示す斜視図である。
【図３】実施例に係るスライド機能付きヒンジリッド型パッケージの構成を一部を切り欠いて示した分解斜視図である。
【図４】インナケースを後壁側から見た状態を示す斜視図である。
【図５】インナケースを構成するブランクの展開図である。
【図６】アウタボディを構成するブランクの展開図である。
【図７】インナケースのスライド動作を説明するための概略構成図である。
【図８】補強板の別な態様を示す斜視図である。
【図９】補強板の更に別な態様を示す斜視図である。
【符号の説明】
【００３８】
２            パッケージ
４            リッド
６            インナケース
６ａ          凹凸面
８            アウタボディ
１０          インナパック
１２          ケース本体
１４          前壁
１６          後壁
１８          側壁
２０          切欠凹所
２２          切欠凹所
２４          第１ヒンジ
２６          後壁
２８          天板
３０          側壁
３２          第２ヒンジ
３４          帯状体
３６          折返し片
３８          開口端
４０          前壁
４２          後壁
４４          側壁
４６          開口
４８          延出片
５０          切欠
５２          インナケース用ブランク
５４          アウタボディ用ブランク
１０２        補強部材
１０４        補強部材
【図１】
0005323399.tif 000002
【図２】
0005323399.tif 000003
【図３】
0005323399.tif 000004
【図４】
0005323399.tif 000005
【図５】
0005323399.tif 000006
【図６】
0005323399.tif 000007
【図７】
0005323399.tif 000008
【図８】
0005323399.tif 000009
【図９】
0005323399.tif 000010